(57)【要約】　　　（修正有）【課題】自転車として使用できるのみならず、スクーターの機能も兼ねるスクーター兼用の自転車を提供する。【解決手段】フレーム１にサドルシート１０と左右一対のペダル１５とハンドル１６と前後両輪２１，２２とを有し、該サドルシートに坐り、両足で該左右一対のペダルを踏んで該後輪を駆動させ、両手で該ハンドルを左右に回動して前輪２１を操縦して走行する自転車において、前記フレームは前後２フレームに分かれ、該前後フレームを足載せ用の空間を形成される距離だけ離間させると共に、前記前後フレームの下部間に足載せ台１３を設け、片足を前記足載せ台に置き、他の片足で地面を蹴ることにより走行することを特徴とするスクーター兼用の自転車を提供する。【選択図】　　図１
0003099967.tif 000002
【実用新案登録請求の範囲】
【請求項１】
　フレームにサドルシートと左右両側に位置する一対のペダルとハンドルと前後両輪とを有し、該サドルシートに坐り、両足で左右両側のペダルを踏んで該後輪を駆動させ、両手で該ハンドルを左右に回動して前輪を操縦して走行する自転車において、
前記フレームは前後２フレームに分かれ、該前後フレームを少なくとも足載せ用空間が確保される距離だけ離間させると共に、前記前後フレームの下部間に足載せ台を設け、
片足を前記足載せ台に置き、他の片足で地面を蹴ることにより走行することを特徴とするスクーター兼用の自転車。
【請求項２】
　前後延伸してなるフレームと、該フレームの前後両端近くの下方にそれぞれ軸支されている前後両輪と、左右に延伸し、且つ、前記前輪の上方の前記フレームに設置されて該前輪を左右回動させるハンドルと、左右両側に位置する一対のペダルを有し、前記フレームの下側に設置されて両足で前記ペダルを踏んで該後輪を回転させる駆動装置と、該左右両側のペダルの上方に位置するように該フレームの上側に設置され、且つ、運転者がその上面に坐って両足で該左右両側のペダルを順番に踏むことができるサドルシートとを備えている自転車において、
前記フレームは前後２フレームに分かれ、該前後フレームを少なくとも足載せ用空間が確保される距離だけ離間させると共に、前記前後フレームの下部間に足載せ台を設け、
片足を前記足載せ台に置き、他の片足で地面を蹴って走行できることを特徴とするスクーター兼用の自転車。
【請求項３】
　前記サドルシート及び前記左右両側のペダルを、前記後フレームの前端側に設置したことを特徴とする請求項１または２に記載のスクーター兼用の自転車。
【請求項４】
　前記足載せ台の左右両側の少なくとも一側に、上面が平面となった蹴り足用フットレストを突設したことを特徴とする請求項１または２に記載のスクーター兼用の自転車。
【考案の詳細な説明】
【技術分野】
【０００１】
本考案は、自転車に関し、特にスクーター兼用の自転車に関する。
【背景技術】
【０００２】
　自転車は、日常生活では歩く代りの手段として良く用いられ、近年、スポーツと遊楽の風潮が盛んになるにつれて、自転車も旅行や野外での遊びで盛んに利用されるようになってきている。数年前、両手でハンドルを握りながら、片足をカースター付きの足載せ台に置き、他の足で地面を蹴って走るスクーターと称する新興のスポーツ具が出ており、軽くて小型であるため、混み合った都市でも利用できるので、近頃かなり人気の高い商品になっている。しかしながら、特技訓練の必要がある場合を除き、応用が利かず、変化に乏しいという欠点がある。また、前記スクーターは車輪が小さくので、体力を消耗し易く、速力にも限界があり、特に、高低差のある野外では使い難いという問題があった。
【考案の開示】
【考案が解決しようとする課題】
【０００３】
　上記に鑑みて、本考案は、自転車として使用できるのみならず、スクーターの機能も兼ねるスクーター兼用の自転車を提供しようとすることにある。
【課題を解決するための手段】
【０００４】
　前記目的を達成するために、本考案は、フレームにサドルシートと左右両側に位置する一対のペダルとハンドルと前後両輪とを有し、該サドルシートに坐り、両足で左右両側のペダルを踏んで該後輪を駆動させ、両手で該ハンドルを左右に回動して前輪を操縦して走行する自転車において、前記フレームは前後２フレームに分かれ、該前後フレームを少なくとも足載せ用空間が確保される距離だけ離間させると共に、前記前後フレームの下部間に足載せ台を設け、片足を前記足載せ台に置き、他の片足で地面を蹴ることにより走行することをを特徴とするスクーター兼用の自転車を提供する。
【考案の効果】
【０００５】
　前記構成によるスクーター兼用の自転車は、自転車のフレームを足載せ台があるように少々改造することにより、自転車の機能を豊富にするのみならず、スクーターとして使用している時、比較的激しい運動をすることができると同時に、本来自転車の用いられる大径の車輪によって、走力が従来のスクーターより大きく、且つ、野外の高低のある地形にも使用することができる。
【考案を実施するための最良の形態】
【０００６】
　以下、本考案の好ましい実施形態を詳しく説明する。なお、以下の説明においては、そのサイズに拘わらず、略同一の機能及び構成を有する構成要素については、同一符号を付し、重複説明は必要な場合にのみ行う。
【０００７】
　まず、図１と図２を参照しながら本考案のスクーター兼用の自転車の好ましい実施形態を説明する。図１に示すように、このスクーター兼用の自転車は、フレーム１と、前後両輪２１，２２と、ハンドル１６と、駆動装置３と、サドルシート１０とを備えてなる。フレーム１は前後延伸してなり、主として足を入れるのに必要な空間以上の空間を確保するために前後に離間した前後２フレーム１１，１２に分かれている。上面が平面で前後に延伸し、且つ、フレーム１の下縁に位置して前後２フレーム１１，１２を連接する足載せ台１３が設けられている。前後両輪２１，２２は、フレーム１の前後両端近くの下方にそれぞれ軸支されている。ハンドル１６は前輪２１の上方に位置して前フレーム１１に設置されている。該ハンドル１６は左右に延伸し、且つ、両手による回動によって該前輪２１を左右に回動させるものである。サドルシート１０は、後フレーム１２の前端近くに設置されている。駆動装置３はフレーム１の下側に設置されている。該駆動装置３は、後フレーム１２の前端近くの一側に軸支されているチェーンリング３２と、後輪２２と同軸に設置されているフリーホイール３１と、チェーンリング３２の左右両側に該チェーンリング３２と同軸にして配置されるクランク３４と、該クランク３４の設けられ、且つ、サドルシート１０の下方の左右両側に位置する一対のペダル１５、１５と、チェーンリング３２とフリーホイール３１に掛け渡されているチェーン３３とを備えている。そして、該サドルシート１０は一対のペダル１５，１５に対し高さ調節可能に後フレーム１２に設置されている。従って、運転者は該サドルシート１０の上面に坐り、両手でハンドル１６を握って自転車の方向を操縦しながら両足で該左右一対のペダル１５，１５を順番に踏んで後輪２２を回転させることができる。
【０００８】
　次に、図２を参照して説明する。足載せ台１３の左側に、平板状の蹴り足用フットレスト１４が突出してある。本実施形態の自転車は、スクーターとして使用される時、両手でハンドルを握ったまま、片足を足載せ台１３に置き、他の足で地面を蹴ることによって自転車を操縦しながら進ませるが、スライドしている時に、地面を蹴る他の足をフットレスト１４に置いてしばらく休むこともできる。この実施形態は、フットレスト１４を足載せ台１３の左側に設置した通常のタイプであるが、左ぎっちょ向けのタイプであれば足載せ台１３の右側に設置した方がよく、もちろん通用タイプとして左右両側にも一つずつ設置してもよいと言うまでもない。
【０００９】
　図１と図３から分かるように、本実施形態は、自転車だけでなく、スクーターとして使用されることもできる。自転車として使用される場合、該サドルシート１０に坐り、両足で該左右一対のペダル１５，１５を順番に踏んで該後輪２２を駆動しながら両手で該ハンドル１６を左右回動するように前輪２１を操縦して走る（図３参照）。スクーターとして使用される場合、片足を足載せ台１３に置き、他の足で地面を蹴って、両手で該ハンドル１６を左右回動することによって前輪２１を操縦して走る（図１参照）。
【産業上の利用可能性】
【００１０】
　前記のように、本考案の構成によると、自転車のフレームに足載せ台が確保されるように改造するだけで、自転車として使用できるのみならず、スクーターの機能も兼ね、且つ、自転車を以って改造したため、車輪の径が従来のスクーターより大きいので、スクーターとして使用するときには、走力が従来のスクーターより大きくなり、且つ、野外の高低のある地形にも使用することができる。
【００１１】
　以上説明した実施の形態は、あくまでも本考案の技術的内容を明らかにする意図のものにおいてなされたものであり、本考案はそうした具体例に限定して狭義に解釈されるものではなく、本考案の精神とクレームに述べられた範囲で、いろいろと変更して実施できるものである。
【図面の簡単な説明】
【００１２】
【図１】本考案のスクーター兼用の自転車の好ましい実施形態、特にスクーターとして使用されている場合を示す側面図
【図２】前記実施形態におけるフレームの一部拡大図
【図３】前記実施形態が自転車として使用されている場合を示す側面図
【符号の説明】
【００１３】
１      フレーム
１０    サドルシート
１１    前フレーム
１２    後フレーム
１３    足載せ台
１４    フットレスト
１５    ペダル
１６    ハンドル
２１    前輪
２２    後輪
３      駆動装置
３１    フリーホイール
３２    チェーンリング
３３    チェーン
３４    クランク
【図１】
0003099967.tif 000003
【図２】
0003099967.tif 000004
【図３】
0003099967.tif 000005